【手続補正書】
【提出日】平成18年7月13日(2006.7.13)
【手続補正１】
【補正対象書類名】明細書
【補正対象項目名】特許請求の範囲
【補正方法】変更
【補正の内容】
【特許請求の範囲】
【請求項１】  色インクを吐出する色インク吐出部と、クリアインクを吐出するクリアインク吐出部とを備え、
前記色インク吐出部から吐出した色インクと前記クリアインク吐出部から吐出したクリアインクとにより前記クリアインク吐出部の吐出検査に用いる第２検査用パターンを媒体に形成することを特徴とする印刷装置。
【請求項２】  さらに、センサを備え、
前記第２検査用パターンの形成を行う前に、前記色インク吐出部から吐出した色インクにより前記色インク吐出部の吐出検査に用いる第１検査用パターンを媒体に形成して、前記第１検査用パターンを前記センサにより検出して前記色インク吐出部の吐出検査を行うことを特徴とする請求項１に記載の印刷装置。
【請求項３】  前記色インク吐出部をクリーニングするためのクリーニング手段を備え、
前記色インク吐出部の吐出検査の結果、前記色インク吐出部に吐出不良があると認められたときには、前記第２検査用パターンを形成する前に、前記クリーニング手段による前記色インク吐出部のクリーニング処理を実行することを特徴する請求項２に記載の印刷装置。
【請求項４】  前記クリーニング処理の実行後、前記第２検査用パターンの形成を行うことを特徴とする請求項３に記載の印刷装置。
【請求項５】  前記クリーニング処理の実行後、前記第２検査用パターンを形成する前に、前記第１検査用パターンを再度形成して当該第１検査用パターンに基づき前記色インク吐出部の吐出検査を行うことを特徴とする請求項４に記載の印刷装置。
【請求項６】  前記第１検査用パターンの形成と、前記色インク吐出部の再検査と、前記クリーニング手段による前記色インク吐出部のクリーニングとを、前記色インク吐出部に吐出不良が認められなくなるまで繰り返し行うことを特徴とする請求項５に記載の印刷装置。
【請求項７】  前記色インク吐出部に吐出不良が認められなかったときに、前記第２検査用パターンの形成を行うことを特徴とする請求項５または６に記載の印刷装置。
【請求項８】  前記第１検査用パターンと前記第２検査用パターンとを同一の媒体上に形成することを特徴とする請求項１〜７のいずれか１項に記載の印刷装置。
【請求項９】  前記第２検査用パターンを前記センサにより検出して前記クリアインク吐出部の吐出検査を行うことを特徴とする請求項１〜８のいずれか１項に記載の印刷装置。
【請求項１０】  前記クリーニング手段により前記クリアインク吐出部をクリーニング処理することを特徴とする請求項３〜９のいずれか１項に記載の印刷装置。
【請求項１１】  前記色インク吐出部は、複数色の色インクを吐出可能であり、前記第２検査用パターンを形成するために吐出される色インクは、前記複数色の色インクのうちの最も色が薄い色インク以外の色インクであることを特徴とする請求項１〜１０のいずれか１項に記載の印刷装置。
【請求項１２】  前記クリアインク吐出部または前記色インク吐出部は、クリアインクまたは色インクを吐出する複数のノズルを備え、前記第１検査用パターンまたは前記第２検査用パターンは前記各ノズル別にパターンを有することを特徴とする請求項１〜１１のいずれか１項に記載の印刷装置。
【請求項１３】  前記各ノズル別のパターンがブロック状に形成されることを特徴とする請求項１２に記載の印刷装置。
【請求項１４】  色インクを吐出する色インク吐出部と、クリアインクを吐出するクリアインク吐出部と、センサと、前記色インク吐出部または前記クリアインク吐出部をクリーニングするためのクリーニング手段とを備え、
前記色インク吐出部から吐出した色インクにより前記色インク吐出部の吐出検査に用いる第１検査用パターンを媒体に形成し、
前記色インク吐出部から吐出した色インクと前記クリアインク吐出部から吐出したクリアインクとにより前記クリアインク吐出部の吐出検査に用いる第２検査用パターンを媒体に形成する印刷装置において、
前記第１検査用パターンを形成する処理と、
形成された前記第１検査用パターンをセンサで検出して色インク吐出部の吐出検査を行う処理と、
前記クリーニング手段により前記色インク吐出部をクリーニングする処理とを、
前記吐出検査の結果、前記色インク吐出部に吐出不良が認められなくなるまで繰り返し行い、
前記前記色インク吐出部に吐出不良が認められなくなった後、
前記第２検査用パターンを形成し、当該第２検査用パターンに基づき前記クリアインク吐出部の吐出検査を行い、その吐出検査の結果、前記クリアインク吐出部に吐出不良があると認められたときには、前記クリーニング手段により前記クリアインク吐出部をクリーニングするとともに、
前記第１検査用パターンと前記第２検査用パターンとが同一の媒体上に形成され、
前記色インク吐出部は、複数色の色インクを吐出可能であり、前記第２検査用パターンを形成するために吐出される色インクは、前記複数色の色インクのうちの最も色が薄い色インク以外の色インクであり、
前記クリアインク吐出部または前記色インク吐出部は、クリアインクまたは色インクを吐出する複数のノズルを備え、前記第１検査用パターンまたは前記第２検査用パターンは前記各ノズル別にパターンを有することを特徴とする印刷装置。
【請求項１５】  色インク吐出部から吐出された色インクにより媒体に形成された第１検査用パターンと、クリアインク吐出部から吐出されたクリアインクと前記色インク吐出部から吐出された色インクとにより媒体に形成された第２検査用パターンとに基づき、前記色インク吐出部及び前記クリアインク吐出部の吐出検査を行う方法であって、
前記第１検査用パターンを形成して当該第１検査用パターンに基づき前記色インク吐出部の吐出検査を行った後、
前記第２検査用パターンを媒体に形成することを特徴とする吐出検査方法。
【請求項１６】  色インク吐出部から吐出された色インクにより前記色インク吐出部の吐出検査に用いる第１検査用パターンを媒体に形成し、前記色インク吐出部から吐出された色インクとクリアインク吐出部から吐出されたクリアインクとにより前記クリアインク吐出部の吐出検査に用いる第２検査用パターンを媒体に形成する方法であって、
前記第１検査用パターンをセンサにより検出して前記色インク吐出部の吐出検査を行った後、
前記第２検査用パターンを媒体に形成することを特徴とする吐出検査用パターンの形成方法。
【請求項１７】  色インクを吐出する色インク吐出部と、クリアインクを吐出するクリアインク吐出部と、センサとを備え、
前記色インク吐出部から吐出した色インクにより前記色インク吐出部の吐出検査に用いる第１検査用パターンを媒体に形成し、
前記色インク吐出部から吐出した色インクと前記クリアインク吐出部から吐出したクリアインクとにより前記クリアインク吐出部の吐出検査に用いる第２検査用パターンを媒体に形成する印刷装置において実行されるプログラムであって、
前記第１検査用パターンを前記センサにより検出して前記色インク吐出部の吐出検査を行うステップと、
前記色インク吐出部の吐出検査後、前記第２検査用パターンを媒体に形成するステップとを実行することを特徴とすることを特徴とするプログラム。
【請求項１８】  コンピュータ本体と、このコンピュータ本体に接続可能な印刷装置とを具備した印刷システムにおいて、
前記印刷装置は、色インクを吐出する色インク吐出部と、クリアインクを吐出するクリアインク吐出部とを備え、
前記色インク吐出部から吐出した色インクと前記クリアインク吐出部から吐出したクリアインクとにより前記クリアインク吐出部の吐出検査に用いる第２検査用パターンを媒体に形成することを特徴とする印刷システム。
【手続補正２】
【補正対象書類名】明細書
【補正対象項目名】０００７
【補正方法】変更
【補正の内容】
【０００７】
【課題を解決するための手段】
前記目的を達成するための主たる発明は、
色インクを吐出する色インク吐出部と、クリアインクを吐出するクリアインク吐出部とを備え、
前記色インク吐出部から吐出した色インクと前記クリアインク吐出部から吐出したクリアインクとにより前記クリアインク吐出部の吐出検査に用いる第２検査用パターンを媒体に形成することを特徴とする印刷装置である。
本発明の他の特徴は、本明細書及び添付図面の記載により明らかにする。
【手続補正３】
【補正対象書類名】明細書
【補正対象項目名】０００９
【補正方法】変更
【補正の内容】
【０００９】
色インクを吐出する色インク吐出部と、クリアインクを吐出するクリアインク吐出部とを備え、
前記色インク吐出部から吐出した色インクと前記クリアインク吐出部から吐出したクリアインクとにより前記クリアインク吐出部の吐出検査に用いる第２検査用パターンを媒体に形成することを特徴とする印刷装置。
さらに、印刷装置は、センサを備え、
前記第２検査用パターンの形成を行う前に、前記色インク吐出部から吐出した色インクにより前記色インク吐出部の吐出検査に用いる第１検査用パターンを媒体に形成して、前記第１検査用パターンを前記センサにより検出して前記色インク吐出部の吐出検査を行う。